(57)【要約】【課題】  従来の放電電流制御方式では、複数枚数の記録紙を連続してプリント処理する連続プリントモードを行った場合、プリント動作中に放電電流の値が変動してしまう問題があった。【解決手段】  電圧トランス２０４の二次側に接続されたコンデンサ２７１を流れる電流値に応じて二次側に発生する交流電圧のピーク値を検出する交流ピーク電圧検出回路Ａと、コンデンサ２７１を流れる電流値に応じて二次側に発生する交流電圧の微分値のピーク値を算出する交流微分電圧値検出回路Ｂと、交流電圧のピーク値及び交流電圧の微分値のピーク値に基づいて放電電流値を算出し、その算出した放電電流値が所定値になるように制御信号を設定して交流電圧を制御するＭＰＵ５とを備える。【選択図】  図２
2005156599.tif 000002
【特許請求の範囲】
【請求項１】
像担持体を帯電し、当該像担持体に形成された画像を記録媒体に転写して画像を形成する画像形成装置であって、
交流電圧を生成する交流電圧生成手段と、
前記交流電圧生成手段からの交流電圧が印加される帯電部材と、
前記交流電圧発生手段から前記帯電部材に電流を供給する経路に制御値に応じた定電流が流れるよう前記交流電圧生成手段を制御する制御手段と、
前記経路に容量性部材を介して接続され、前記帯電部材に印加される交流電圧のピーク電圧に応じた情報を出力する第１の出力手段と、
前記経路に前記容量性部材を介して接続され、前記帯電部材に印加される交流電圧の変化に応じた情報を出力する第２の出力手段とを有し、
前記制御手段は、前記交流電圧生成手段が前記像担持体の放電開始電圧以上のピーク電圧となる前記交流電圧した際の前記第１の出力手段及び前記第２の出力手段の出力結果に基づいて、画像形成する際の前記制御値を決定することを特徴とする画像形成装置。
【請求項２】
前記交流電圧の変化に応じた情報は、前記交流電圧の変化率の最大値と最小値の差分に応じた情報であることを特徴とする請求項１に記載の画像形成装置。
【請求項３】
前記交流電圧生成手段が前記像担持体の放電開始電圧以下のピーク間電圧となる前記交流電圧とした際に前記第１の出力手段及び前記第２の出力手段が出力する値は同一であることを特徴とする請求項２に記載の画像形成装置。
【請求項４】
前記第１の出力手段は、前記容量性部材を流れる交流電流を検出することで前記交流電圧のピーク電圧に応じた情報を出力することを特徴とする請求項１乃至３のいずれかに記載の画像形成装置。
【請求項５】
前記第１の出力手段は、前記容量性部材を流れる交流電流の半波電流の平均値を検出することで前記交流電圧のピーク電圧に応じた情報を出力することを特徴とする請求項４に記載の画像形成装置。
【請求項６】
前記第２の出力手段は、前記容量性部材を流れる交流電流の半波電流のピーク値に基づいて前記交流電圧の変化率の最大値と最小値の差分に応じた情報を出力することを特徴とする請求項２に記載の画像形成装置。
【請求項７】
像担持体を帯電するための帯電部材に供給する帯電電圧を制御する帯電電圧制御回路であって、
電圧トランスの一次側に入力する一次交流電圧を生成する電圧生成回路と、
前記一次交流電圧に応じて前記電圧トランスの二次側に生成される電流が制御信号に応じた定電流となるよう、前記電圧生成回路により生成される一次交流電圧を制御する制御回路と、
前記電圧トランスの二次側に発生する電流を前記帯電部材に供給する経路に容量性部材を介して接続され、前記帯電部材に印加される２次交流電圧のピーク電圧に応じた情報を出力する第１の出力回路と、
前記経路に前記容量性部材を介して接続され、前記帯電部材に印加される２次交流電圧の微分値に応じた情報を出力する第２の出力回路とを有し、
前記制御回路は、前記交流電圧生成回路が前記前記像担持体の放電開始電圧以上のピーク電圧となる前記２次交流電圧した際の前記第１の出力回路及び前記第２の出力回路の出力結果に基づいて、画像形成する際の前記制御値を決定することを特徴とする帯電電圧制御回路。
【請求項８】
前記２次交流電圧の微分値に応じた情報は、前記２次交流電圧の変化率の最大値と最小値の差分に応じた情報であることを特徴とする請求項７に記載の帯電電圧制御回路。
【請求項９】
前記電圧生成回路が前記像担持体の放電開始電圧以下のピーク間電圧となる前記２次交流電圧とした際に前記第１の出力回路及び前記第２の出力回路が出力する信号は同一であることを特徴とする請求項７に記載の帯電電圧制御回路。  
【請求項１０】
前記第１の出力回路は、前記容量性部材を流れる２次交流電流を検出することで前記２次交流電圧のピーク電圧に応じた情報を出力することを特徴とする請求項９に記載の帯電電圧制御回路。
【請求項１１】
前記第２の出力回路は、前記容量性部材を流れる２次交流電流のピーク値を検出することで前記２次交流電圧の微分値に応じた情報を出力することを特徴とする請求項７乃至１０のいずれかに記載の帯電電圧制御回路。
【発明の詳細な説明】
【技術分野】
【０００１】
本発明は、像担持体の帯電を行なう画像形成装置及び、その帯電電圧制御回路に関するものである。
【背景技術】
【０００２】
電子写真方式により画像を記録する電子写真方式の画像形成装置では、周知のようにドラム型の電子写真感光体（以下、感光ドラム）を有し、画像形成に際して、その表面を所定の電位に均一に帯電処理している。この帯電処理では、細いコロナ放電ワイヤに高電圧を印加して発生するコロナを感光ドラム表面に作用させて帯電させる非接触帯電であるコロナ帯電が一般的であった。
【０００３】
これに対して近年は、低圧プロセス、低オゾン発生量、低コストなどの点から有利な接触帯電方式が主流となりつつある。この接触帯電方式は、例えばローラ帯電部材（以下、帯電ローラ）を感光ドラムの表面に当接させ、この帯電ローラに電圧を印加して感光ドラムを帯電する方式である。接触帯電方式で感光体表面に所望の電位Ｖｄを得るために、帯電ローラにはＶｄ＋Ｖｔｈ（帯電部材に直流電圧を印加した時の被帯電体への放電開始電圧（帯電開始電圧））という直流電圧が印加される。
【０００４】
また、更なる帯電の均一化を図るために特許文献１に開示するように、所望の電位Ｖｄに相当する直流電圧に、Ｖｔｈの２倍以上のピーク間電圧を持つ交流電圧成分（ＡＣ電圧成分）を重畳した電圧（交番電圧・脈流電圧・振動電圧；時間とともに電圧値が周期的に変化する電圧）を接触帯電部材に印加する「ＡＣ帯電方式」が用いられる。
ＡＣ帯電方式では、交流電圧を印加してプラス側、マイナス側への放電を交互に起こすことで帯電を均一にすることができる。例えば、直流電圧を印加したときの被帯電体の放電開始電圧（帯電開始電圧）の２倍以上のピーク間（peak to peak）電圧を有する交流電圧と、直流電圧（直流オフセットバイアス）とを重畳した交流電圧（振動電圧）を印加することにより、被帯電体である帯電ローラをほぼ均一に帯電できることが知られている。ここで、この帯電ローラに、正弦波の交流電圧を印加すると、帯電ローラと感光ドラム間の抵抗性負荷に流れる抵抗負荷電流と、帯電ローラと感光ドラム間の容量性負荷に流れる容量負荷電流と、帯電ローラと感光ドラム間の放電電流とが流れ、これらが合計された電流が帯電ローラに流れることになる。この際、帯電ローラを安定して帯電するためには、放電電流量を所定値以上にすると良いことが経験的に分かっている。
【０００５】
図１０は、帯電ローラに帯電交流電圧（Ｖc）を印加した場合に帯電ローラに流れる帯電電流（Ｉc）の特性を表した図である。尚、電圧Ｖcは交流電圧のピーク電圧値、電流Ｉcは交流電流の実効値で表している。なお、交流電圧のピーク電圧値とは、交流電圧のピーク間電圧値の１／２の電圧値を意味するものとする。
【０００６】
図において、帯電交流電圧（Ｖc）の振幅（ピーク電圧値）を徐々に上昇させると、これに伴って帯電電流（Ｉc）が流れる。ここで帯電交流電圧（Ｖｃ）が所定電圧（Ｖth）以下では、帯電交流電圧の振幅と帯電電流とは略比例している。これは、抵抗負荷電流と容量負荷電流は電圧振幅に比例し、且つ電圧振幅（ピーク電圧）が小さいために放電現象が発生せず、放電電流が流れないためである。そして更に帯電交流電圧（Ｖc）の振幅を大きくしていくと所定電圧（Ｖth）で放電現象が始まり、帯電交流電圧と帯電電流（Ｉc）の関係も比例しなくなり、放電電流（Ｉs）分だけ帯電電流（Ｉc）が大きくなる。安定した帯電を得るためには、この放電電流（Ｉs）が所定値以上となるように、帯電電圧（Ｖt）を設定すればよい。
【０００７】
しかしながら、感光ドラムへの放電電流（Ｉs）が増えた場合、感光ドラム削れ等の感光ドラム劣化を促進するとともに、放電生成物による高温高湿環境での画像流れ等の異常画像が発生する場合があった。このため、安定した帯電が得られ、かつ前記問題を解決するためには、必要最小限の帯電交流電圧を印加することにより、プラス側、マイナス側へ交互に起こす放電を最小限にする必要がある。
【０００８】
しかし実際には、感光ドラムへの印加電圧と放電量の関係は常に一定ではなく、感光ドラムの感光体層や誘電体層の膜厚、帯電部材や空気の環境変動等により変化する。低温低湿環境（以下、Ｌ／Ｌ環境）では、材料が乾燥して抵抗値が上昇し放電しにくくなるため、均一な帯電を得るためには一定値以上のピーク間電圧が必要となる。また、このＬ／Ｌ環境において均一な帯電が得られる最低の帯電交流電圧を印加しても、高温高湿環境（Ｈ／Ｈ）の場合には、逆に材料が吸湿して抵抗値が低下するため必要以上の放電が発生することになる。この結果、放電量が増加して、画像不良の発生、トナー融着の発生、感光ドラムの表面の劣化による感光ドラム削れ、短命化などの問題が起こる。
【０００９】
このような放電量の変化は、前述の環境変動による原因の他に、帯電部材の製造ばらつきや汚れによる抵抗値変動、耐久による感光ドラムの静電容量変動、画像形成装置本体の高電圧発生装置の特性ばらつきなどでも発生することが判っている。
【００１０】
このような放電量の変化を抑制するために、特許文献１の「放電電流制御方式」は、帯電部材に印加する交流電圧を可変な構成とし、交流電圧のピーク電圧が放電現象が開始する電圧（Ｖth）以下での電圧範囲と、Ｖth以上の電圧範囲において、それぞれ交流電圧−交流電流特性を検出し、その検出した２つの特性ラインから最適な放電量となる交流電圧値を算出し、帯電部材に印加する交流電圧のピーク電圧の電圧レベルを決定している。
【００１１】
図１０において、丸印で示したＡ，Ｂ，Ｃ，Ｄ点は、それぞれ検出を行うポイントを示している。放電現象が開始する電圧（Ｖth）以下の電圧でＡ，Ｂの２点をサンプルすることで、放電電流が発生しない領域の帯電交流電圧（Ｖc）と帯電電流（Ｉc）の特性LINE-Aが測定される。同様に、放電後のＣ，Ｄの２点をサンプルすることで、放電電流が発生する領域における帯電交流電圧（Ｖc）と帯電電流（Ｉc）の特性LINE-Bが測定される。このような方法で得られた２つの特性ラインの関係から放電電流値を所定値とするための帯電交流電圧値を算出し、これに応じて帯電交流電圧を制御することで放電量の変動を抑制する制御を行っている。
【００１２】
図１１は、従来の放電電流制御方式の画像形成装置において、前述したサンプリングを実行するタイミングを示す図である。
【００１３】
装置本体のメイン電源がオンされると、定着装置を駆動し定着装置を所定温度まで立ち上げる等の一連の処理を行う前多回転工程を実行し、その後にスタンバイ状態となる。次に、プリント開始の命令を外部パーソナルコンピュータ等の外部装置から受けると、所定の印刷準備段階である前回転工程を実行し、その後に一連の電子写真プロセスによって記録紙にプリント動作を行うプリント工程に入る。ここで、複数枚のプリント動作を行うモードの場合には、次の記録紙に対してのプリント動作を行うまでの紙間工程で所定の処理を実行後、２枚目以降のプリント工程に移る。そして最後の記録紙のプリント工程が終了すると、後回転工程の後、再びスタンバイ状態に戻る。前述のＡ，Ｂ及びＣ，Ｄ点のサンプリングは前回転工程で実行され、その結果に基づいて帯電交流高圧レベルを設定した後にプリント工程に移行する。このようにサンプリングをプリント工程以外のタイミングで行うことで、サンプリング実行中に出力される放電開始電圧（Ｖth）以下の帯電電圧によって発生する異常画像の発生といった不具合を防止できる。
【特許文献１】特開昭６３−１４９６６８号公報
【特許文献２】特開２００１−２０１９２１号公報
【発明の開示】
【発明が解決しようとする課題】
【００１４】
しかしながら、従来の放電電流制御方式では、複数枚数の記録紙を連続してプリント処理する「連続プリントモード」を行った場合、プリント動作中に放電電流の値が変動してしまう問題があった。この問題は、連続プリントモードでのプリント動作中に感光ドラム周辺で温度上昇が発生し、帯電ローラへの印加電圧と放電電流の関係が変化した場合に起こる。即ち、図１０に示す特性ラインLINE-AとLINE-Bがプリント動作中に変動し、プリント開始時に行ったサンプル結果に応じて設定する帯電交流電圧を印加しても所望の放電電流に制御できなくなるのである。この問題に対しては、連続プリントモード時に所定間隔でプリント動作を一定期間停止し、帯電交流電圧のピーク電圧を放電開始電圧（Ｖth）以下に下げてサンプリングを再度実行し、放電電流が最適となるように帯電電圧出力を再設定する方法が考えられる。しかしながら、この場合には画像形成装置のプリント速度が低下してしまうことから有効な対策とはならなかった。
【００１５】
本発明は上記問題点に鑑みてなされたもので、環境変動や製造時による帯電部材の特性ばらつき等に拘わらずに、高精度で所定の放電量を生じさせて均一な帯電行う帯電電圧制御回路とその制御方法及び画像形成装置を提供する。
【課題を解決するための手段】
【００１６】
本発明に関わる画像形成装置は以下のような構成を備える。
【００１７】
像担持体を帯電し、当該像担持体に形成された画像を記録媒体に転写して画像を形成する画像形成装置であって、
交流電圧を生成する交流電圧生成手段と、
前記交流電圧生成手段からの交流電圧が印加される帯電部材と、
前記交流電圧発生手段から前記帯電部材に電流を供給する経路に制御値に応じた定電流が流れるよう前記交流電圧生成手段を制御する制御手段と、
前記経路に容量性部材を介して接続され、前記帯電部材に印加される交流電圧のピーク電圧に応じた情報を出力する第１の出力手段と、
前記経路に前記容量性部材を介して接続され、前記帯電部材に印加される交流電圧の変化に応じた情報を出力する第２の出力手段とを有し、
前記制御手段は、前記交流電圧生成手段が前記像担持体の放電開始電圧以上のピーク電圧となる前記交流電圧した際の前記第１の出力手段及び前記第２の出力手段の出力結果に基づいて、画像形成する際の前記制御値を決定することを特徴とする。
【００１８】
本発明に係る帯電電圧制御回路は以下のような構成を備える。
【００１９】
像担持体を帯電するための帯電部材に供給する帯電電圧を制御する帯電電圧制御回路であって、
電圧トランスの一次側に入力する一次交流電圧を生成する電圧生成回路と、
前記一次交流電圧に応じて前記電圧トランスの二次側に生成される電流が制御信号に応じた定電流となるよう、前記電圧生成回路により生成される一次交流電圧を制御する制御回路と、
前記電圧トランスの二次側に発生する電流を前記帯電部材に供給する経路に容量性部材を介して接続され、前記帯電部材に印加される２次交流電圧のピーク電圧に応じた情報を出力する第１の出力回路と、
前記経路に前記容量性部材を介して接続され、前記帯電部材に印加される２次交流電圧の微分値に応じた情報を出力する第２の出力回路とを有し、
前記制御回路は、前記交流電圧生成回路が前記前記像担持体の放電開始電圧以上のピーク電圧となる前記２次交流電圧した際の前記第１の出力回路及び前記第２の出力回路の出力結果に基づいて、画像形成する際の前記制御値を決定することを特徴とする。
【発明の効果】
【００２０】
本発明によれば、前記帯電部材に電流を供給する経路に容量性部材を介して接続され、帯電部材に印加される交流電圧のピーク電圧に応じた情報を出力する第１の出力手段と、経路に容量性部材を介して接続され、帯電部材に印加される交流電圧の変化に応じた情報を出力する第２の出力手段とを有し、制御手段は、交流電圧生成手段が像担持体の放電開始電圧以上のピーク電圧となる交流電圧した際の第１の出力手段及び第２の出力手段の出力結果に基づいて、画像形成する際の前記制御値を決定するので、環境条件や製造による帯電部材の特性ばらつき等に拘わらず、定量の放電を高精度で生じさせて帯電させる画像形成装置を提供することができる。
【発明を実施するための最良の形態】
【００２１】
以下、添付図面を参照して本発明の好適な実施の形態を詳しく説明する。
【実施例１】
【００２２】
図１は、本発明の実施の形態に係るレーザビームプリンタ（電子写真方式の画像形成装置）１００の構成図である。
【００２３】
レーザプリンタ１００は、記録紙Ｐを収納するデッキ１０１を有し、このデッキ１０１の記録紙Ｐの有無を検知するデッキ紙有無センサ１０２、デッキ１０１内の記録紙Ｐのサイズを検知する紙サイズ検知センサ１０３、デッキ１０１から記録紙Ｐを繰り出すピックアップローラ１０４、ピックアップローラ１０４によって繰り出された記録紙Ｐを搬送するデッキ給紙ローラ１０５、このデッキ給紙ローラ１０５と対をなし、記録紙Ｐの重送を防止するためのリタードローラ１０６が設けられている。そして、デッキ給紙ローラ１０５の下流には、デッキ１０１と、後述する両面反転部からの給紙搬送状態を検知する給紙センサ１０７、更に下流へと記録紙Ｐを搬送するための給紙搬送ローラ１０８、記録紙Ｐを同期搬送するレジストローラ対１０９、レジストローラ対１０９への記録紙Ｐの搬送状態を検知するレジ前センサ１１０が配設されている。
【００２４】
また、レジストローラ対１０９の下流には、後述するレーザスキャナ部１１１からのレーザ光に基づいて感光ドラム１上にトナー像を形成するプロセスカートリッジ１１２と、感光ドラム１上に形成されたトナー像を記録紙Ｐ上に転写するためのローラ部材１１３（以後、転写ローラ）、記録紙Ｐ上の電荷を除去し感光ドラム１からの分離を促進するための放電部材１１４（以後、除電針）が配設されている。更に、除電針１１４の下流には搬送ガイド１１５、記録紙Ｐ上に転写されたトナー像を熱定着するために内部に加熱用のハロゲンヒータ１１６を備えた定着ローラ１１７と加圧ローラ１１８対を有する定着部が設けられている。そして、この定着部からの搬送状態を検知する定着排紙センサ１１９、定着部から搬送されてきた記録紙Ｐを排紙部、又は両面反転部に行き先を切り替えるための両面フラッパ１２０が配設されており、排紙部側の下流には排紙部の紙搬送状態を検知する排紙センサ１２１、記録紙を排紙する排紙ローラ対１２２が配設されている。
【００２５】
一方、記録紙Ｐの両面に印刷するために片面印刷終了後の記録紙Ｐを表裏反転させ、再度画像形成部へと給紙するための両面反転部側には、正逆転によって記録紙Ｐをスイッチバックさせる反転ローラ対１２３、反転ローラ対１２３への紙搬送状態を検知する反転センサ１２４、記録紙Ｐの横方向位置を合わせるための横方向レジスト部（不図示）から記録紙Ｐを搬送するためのＤカットローラ１２５、両面反転部の記録紙Ｐの搬送状態を検知する両面センサ１２６、両面反転部から給紙部へと記録紙Ｐを搬送するための両面搬送ローラ対１２７が配設されている。
【００２６】
またスキャナ部１１１は、後述外部装置（ホストコンピュータ）１２８から送出される画像信号に基づいて変調されたレーザ光を発光するレーザユニット１２９、レーザユニット１２９からのレーザ光を感光ドラム１上に走査するためのポリゴンミラー１３０とスキャナモータ１３１、結像レンズ群１３２、及び折り返しミラー１３３を備えている。そして、プロセスカートリッジ１１２は公知の電子写真プロセスに必要な感光ドラム１、帯電部材である帯電ローラ２と現像ローラ１３４、トナー収容容器１３５等を具備しており、レーザビームプリンタ１００に対して着脱可能に構成されている。また、図中３は高電圧電源部であり、後述する帯電高電圧回路の他に、現像ローラ１３４、転写ローラ１１３、除電針１１４に所望の電圧を給電する高電圧回路を有している。１３６はメインモータで、各部に動力を供給している。
【００２７】
更に、４はレーザプリンタ１００を制御するプリンタ制御部であり、ＲＡＭ５ａ，ＲＯＭ５ｂ、タイマ５ｃ、デジタル入出力ポート（以下、Ｉ／Ｏポート）５ｄ、アナログ−デジタル変換入力ポート（以下Ａ／Ｄポートと記す）５ｅ、デジタル−アナログ出力ポート（以下、Ｄ／Ａポート）５ｆ等を具備したＭＰＵ（マイクロコンピュータ）５、及び各種入出力制御回路（不図示）等で構成されている。尚、プリンタ制御部４は、インターフェース１３８を介してパーソナルコンピュータ等の外部装置１２８に接続されている。
【００２８】
図２は、本発明の実施の形態に係るレーザビームプリンタ１００の帯電バイアス生成回路を説明するブロック図で、この回路はプリンタ制御部４に設けられており、前述の図１と共通する部分は同じ記号で示している。
【００２９】
この帯電バイアス生成回路は、直流高電圧に交流高電圧が重畳された帯電電圧を生成して出力端子２９９より出力する。ＭＰＵ５のＩ／Ｏポート５ｄからクロックパルス（PRICLK）が出力されると、プルアップ抵抗２６０、ベース抵抗２３８を介してトランジスタ２３９がスイッチング動作し、プルアップ抵抗２３７と、ダイオード２４０を介して接続されているオペアンプ２６５の出力に応じた振幅のクロックパルスに増幅される。この振幅が大きいと、後述する高電圧トランス２０４に入力される正弦波の駆動電圧振幅（ピーク電圧）も大きくなり、その結果、高電圧である交流電圧のピーク電圧も大きくなる。
【００３０】
クロックパルスは、コンデンサ２２４を介し、抵抗２１８，２１９，２２２，２２３，２２５，２２６，２２９，２３０〜２３４、コンデンサ２１６，２２０，２２７，２２８，２３３と、オペアンプ２１７，２２１によって構成されるフィルタ回路２３５に入力され、このフィルタ回路２３５から、＋１２Ｖを中心とした正弦波が出力される。そしてこの出力は、プッシュプルの高電圧トランスドライブ回路２０５によって電力増幅され、コンデンサ２１０を介して高電圧トランス２０４の一次巻線に入力される。これにより、高電圧トランス２０４の二次巻線側に正弦波の交流高電圧が発生する。また、高電圧トランス２０４の二次側の一方は、直流高電圧発生回路２４７に接続されおり、ここから出力される直流の高電圧に交流高電圧が重畳された高電圧バイアスが出力保護抵抗２０３を介して出力端子２９９より出力される。この出力端子２９９から帯電ローラ２に高電圧の帯電電圧バイアスが印加される。
【００３１】
次に、帯電バイアス生成回路の交流出力電流（It）の検知について説明する。
【００３２】
ここでは高電圧トランス２０４の２次側巻線の電流を検出することによって、出力端子２９９より出力される交流出力電流（Ｉt）に応じた高電圧トランスドライブ回路２０５への入力電圧を発生するフィードバック制御を行っている。前述の高電圧トランスドライブ回路２０５を駆動することで発生した交流出力電流（Ｉt）はコンデンサ２４８を通過し、矢印Ａ方向の半波はダイオード２５０、矢印Ｂ方向の半波はダイオード２４９を介してそれぞれ流れる。ダイオード２５０を通過した矢印Ａ方向の半波は、オペアンプ２６５、抵抗２５６，２５８、コンデンサ２５４で構成された積分回路によって直流電圧に変換される。この場合、オペアンプ２６５の負入力端子の電圧（Ｖn）は、式（１）で表される。
【００３３】
Ｖn＝Ｒs×Ｉmean          ...式（１）
ここで、Ｉmeanは帯電交流電流（It）の半波の平均値、Ｒsは抵抗２５７の抵抗値である。
【００３４】
一方、オペアンプ２６５の正入力端子には、ＭＰＵ５のＤ／Ａポート５ｆから出力される電流制御信号（PRICNT）が入力される。この電流制御信号（PRICNT）は、高電圧トランス２０４に入力される正弦波の駆動電圧振幅、即ち、交流出力電流（It）の振幅レベルを設定する信号であり、０Ｖから５Ｖまでの間で変化する、デジタル値PRICNTに対応するアナログ信号である。ここで、オペアンプ２６５の負入力端子の電圧（Ｖn）が電流制御信号（PRICNT）よりも小さい場合はオペアンプ２６５の出力が大きくなり、逆に、負入力端子の電圧（Ｖ1）が電流制御信号（PRICNT）よりも大きい場合はオペアンプ２６５の出力が小さくなる。
【００３５】
前述した様に、オペアンプ２６５の出力が大きくなると、フィルタ回路２３５に入力されるクロックパルスの振幅が大きくなり交流高電圧ピーク電圧は大きくなる。このような構成とすることで、交流高電圧（帯電電圧）の振幅レベルが制御され、その結果、交流出力電流（It）が電流制御信号（PRICNT）に応じた所定の一定電流値となるように制御される。即ち、電流制御信号（PRICNT）に応じた定電流制御が行われる。帯電交流電流の制御値は下記式の特性となる。
【００３６】
Ｉmean＝PRICNT／Ｒs          ...式（２）
また、オペアンプ２６５の正入力端子にはトランジスタ２６０も接続されている。このトランジスタ２６０は、ＭＰＵ５のＩ/Ｏポート５ｄから出力された信号（PRION）によって駆動される。このPRION信号をハイレベルにしてトランジスタ２６０をオンさせることにより、オペアンプ２６５の正入力端子の電位をロウレベルに落として帯電交流電圧の出力をオフにすることができる。
【００３７】
次に、帯電バイアス生成回路の電圧検出部について説明する。この帯電バイアス生成回路においては、電圧検出回路Ａ、電圧検出回路Ｂの２つの電圧検出回路がある。
（Ａ）電圧検出回路Ａ
電圧検出回路Ａは、帯電交流電圧のピーク電圧値を検出する回路である。
【００３８】
図３は、帯電交流電圧の波形と電圧検出回路Ａによって検出されるピーク電圧値との関係を示す図であり、横軸は時間を、縦軸は帯電交流電圧Vpを表すものである。
【００３９】
３０００は、帯電交流電圧の波形が正弦波の場合を示している。この場合は、電圧Ｖp1が電圧検出回路Ａによって検出される。一方、３００１は、交流電圧波形のピーク部で歪みが発生した場合の波形を示している。破線は正弦波である波形３０００の波形を示しており、ピークとなる部分で歪みが生じ、ピーク電圧がＶp1よりΔｈだけ低下したＶp2となっている。電圧検出回路Ａは、この電圧値Ｖp2の値を検出する。
【００４０】
次に、電圧検出回路Ａの動作について説明する。
【００４１】
ピーク電圧の検出は、帯電電圧出力端子２９９と同電位のラインに接続されたコンデンサ２７１を流れる電流を検出することで行なう。このコンデンサ２７１には、帯電交流電圧の電圧レベルに応じた交流電流が流れ、この電流はダイオード２７６と２８９で分流される。ここで矢印Ｄの方向の半波電流はダイオード２７６を流れ、矢印Ｃ方向の半波電流はダイオード２８９を介して流れる。
【００４２】
矢印Ｄの方向の半波電流は、オペアンプ２８１、抵抗２８２，２８３、コンデンサ２８８で構成された積分回路に入力されて直流電圧に変換される。こうして電圧変換された直流電圧に対応するピーク電圧検出信号（PRIVS）が、ＭＰＵ５のＡ／Ｄポート５ｅに入力される。このピーク電圧検出信号（PRIVS）のレベルは式（３）で表わせる。
【００４３】
PRIVS＝Ｃ271×ｆ×Ｒ283×２×Ｖp              ...式（３）
ここで、Ｃ271はコンデンサ２７１の静電容量値、ｆは帯電交流出力の周波数、Ｒ283は抵抗２８３の抵抗値、Ｖpは帯電交流電圧のピーク電圧値（図３のＶp1に相当）である。
（Ｂ）電圧検出回路Ｂ
電圧検出回路Ｂは、帯電交流電圧波形の微分波形のピーク電圧値（図３のＶp2に相当）を検出する回路である。
【００４４】
なお、微分波形とは帯電交流電圧波形の変化に応じた波形であり、交流電圧波形の振動中心の電圧となる時点において変化が最大又は最小となる波形である。従がって、交流電圧波形がピーク電圧となるときに微分波形は変化がない状態となる。
【００４５】
図３の３００２は、交流電圧波形３００１の微分波形を示している。図３においては交流電圧波形３０００、３００１が振動中心の電圧となる時刻Ｔ１において微分波形３００２はピーク電圧（Ｖｐ１）となっており、交流電圧波形３０００、３００１がピーク電圧（Ｖｐ１又はＶｐ２）となる時刻Ｔ２において微分波形３００２は変化がない振動中心の電圧となっている。また、破線部は正弦波３０００の形状を示す。波形３００１で歪みが発生しているピーク付近の領域では、微分波形３００２も正弦波から歪んだ形状となっている。一方、３００１で歪みが発生していない位相の領域では、微分波形３００２は正弦波の形状に一致しており、そのピーク値は波形３００１のピーク値と同じＶp1となっている。即ち、電圧検出回路Ｂは、歪みが発生した帯電交流電圧波形のピーク電圧値（Ｖp2）に対して歪み量Δｈを加算した電圧Ｖp1を検出して出力する。
【００４６】
次に、この電圧検出回路Ｂの動作を説明する。
【００４７】
帯電出力電圧は、コンデンサ２７１と抵抗２７３によって分圧されて低い電圧レベルに変換される。コンデンサ２７１と抵抗２７３との間にはダイオード２８９が接続されているため、オペアンプ２８６の正入力には半波の交流波形が入力される。ここで、コンデンサ２７１のインピーダンスは、抵抗２７３のインピーダンスよりも十分に大きく設定されている。即ち、オペアンプ２８６の正極入力部には、帯電交流電圧の微分波形が分圧された交流波形の半波波形が発生する。この微分された波形は更に、オペアンプ２８６、オペアンプ２８０、ダイオード２７２，２７９、コンデンサ２８４、抵抗２８５，２９８，２９９で構成されたピーク電圧検出回路によって、オペアンプ２８１の負極入力端子に発生した交流波形のピーク値に応じた直流電圧に変換され、微分電圧検出信号（PRIDVS）として、ＭＰＵ５のＡ／Ｄポート５ｅに入力される。微分電圧検出信号（PRIDVS）のレベルは下記式で表せる。
【００４８】
PRIDVS＝Ｃ271×ｆ×Ｒ273×π×２×Ｖd      ...式（４）
ここで、Ｃ271はコンデンサ２７１の静電容量値、ｆは帯電交流電圧出力の周波数、Ｒ273は抵抗２７３の抵抗値、πは円周率、Ｖdは帯電交流電圧の微分値のピーク電圧である。
【００４９】
これら式（３）と式（４）とから、ピーク電圧検出信号（PRIVS）と微分電圧検出信号（PRIDVS）はいずれもコンデンサ２７１の静電容量値に対し比例関係にある。即ち、コンデンサ２７１の静電容量値が環境条件等によって変動した場合でも、両信号間の相対値は一定となることがわかる。
【００５０】
次に本実施の形態１に係る放電電流の検出方法について説明する。本実施の形態１に係る画像形成装置においては、帯電交流電圧のピーク値と、帯電交流電圧の微分値のピーク値とを検出し、これに基づいて放電電流値を算出することを特徴とする。
【００５１】
図５（Ａ）は、帯電ローラ２に印加する帯電交流電圧のピーク値及び帯電交流電圧の微分ピーク値と帯電交流電流値（Ｉc）との関係を示す図である。
【００５２】
帯電ローラ２に帯電交流電圧を印加することで帯電電流（Ｉc）が流れる。この帯電交流電圧が放電開始電圧（Ｖth）以下の領域（非放電発生領域）では、帯電交流電圧の上昇に比例して帯電交流電流が直線的（比例して）に上昇する。この非放電発生領域では、帯電ローラ２と感光ドラム１との間の抵抗性負荷と容量性負荷に応じたニップ電流のみが流れる。
【００５３】
次に更に帯電交流電圧が上昇して放電開始電圧（Ｖth）を超える領域（放電発生領域）に達すると、帯電ローラ２と感光ドラム１との間で放電が起こり、前述のニップ電流に放電電流が加算された帯電電流（Ｉc）が流れる。前述の非放電発生領域では、帯電交流電圧ピーク値と帯電交流電圧微分ピーク値は比例していたが、この放電発生領域では、帯電交流電圧のピーク値は、図５（Ａ）のラインLINE-Aに沿った値となり、帯電交流電圧微分のピーク値は、同じ図５（Ａ）のラインLINE-Bに沿った値となり、２つの特性に差が発生する。
【００５４】
これら２つの特性ラインLINE-AとLINE-Bとで示すように、特性に差が生じる原因について図６を参照して説明する。
【００５５】
図６は、帯電交流電圧を放電開始電（Ｖth）より高い電圧Ｖa1としたときの帯電交流電圧波形を示す図で、交流波形のピーク付近で波形の歪みが発生している。
【００５６】
この波形歪みは、放電発生によって高圧トランス２０４の出力に歪みが生じるために発生する。帯電交流電圧が放電開始電圧（Ｖh）を超えると、交流電圧のピーク付近のタイミングで放電が発生して放電電流が流れる。この放電電流は急激な立ち上がりで瞬間的に流れる。このため帯電交流電圧を生成する高圧トランス２０４に放電電流が流れると、トランス２０４のリーケージインダクタンスの働きで高圧トランス２０４の出力端子間で電圧降下が発生し、出力電圧の波形に歪みが生じるのである。このとき、帯電交流電圧のピーク値はＶa1となる。一方、帯電交流電圧の微分値のピーク値は、電圧Ｖa1に対して歪み量が加算された電圧Ｖb1となる。この結果、特性ラインLINE-AとLINE-Bとでは異なる特性になる。
【００５７】
図５（Ａ）に示すように、ラインLINE-Aは、放電開始電圧（Ｖh）を境に不連続な特性を示している。これに対して、ラインLINE-Bは、帯電交流電圧の微分値のピーク値に対し直線的に変化する特性となる。これは高圧トランス２０４の動作特性により、高圧トランス２０４の出力電力は放電の有無に関係なく一定で動作するためである。
【００５８】
これらラインLINE-AとLINE-Bとで示す関係から、放電電流値を算出することができる。帯電交流電圧のピーク値（Ｖp）、帯電交流電圧の微分ピーク値（Ｖd）、帯電電流（Ｉc）の場合、放電電流値（Ｉs）は式（５）で表される。
【００５９】
Ｉs＝Ｉc×（Ｖd−Ｖp）／Ｖd          ...式（５）
更に式（５）と式（３）及び式（４）から、放電電流は式（６）で算出できる。
【００６０】
Ｉs＝Ｉc×（１−π×Ｒ273／Ｒ283×PRIVS／PRIDVS）        ...式（６）
本実施の形態１に係る画像形成装置では、帯電交流電圧ピーク値（Ｖp）を電圧検出回路Ａで検出し、帯電交流電圧微分ピーク値（Ｖd）を電圧検出回路Ｂで検出し、帯電電流（Ｉc）をオペアンプ２６５、ダイオード２４９，２５０、コンデンサ２４８，２５６などで構成される定電流制御回路にPRICNTにより設定して放電電流値を算出する。
【００６１】
図５（Ｂ）及び（Ｃ）は、図５（Ａ）に対応するPRIVS及びPRIVDSの検出特性を示す図である。
【００６２】
帯電交流電流（Ｉc）がＩc1の場合、図５（Ａ）において帯電交流電圧ピーク値はＶa1であり、PRIVS信号はPRIVS(1)となる（図５（Ｂ））。また図５（Ａ）において、帯電交流電圧の微分ピーク値はＶb1であり、このときのPRIDVS信号はPRIDVS(1)となる（図５（Ｃ））。ＭＰＵ５で検出した、これらPRIDS及びPRIDVSのレベルから、式（６）を用いて放電電流（Ｉs）を算出することができる。尚、式（６）から明らかなように、放電電流（Ｉs）の算出値にコンデンサ２７１の容量値は関係しない。即ち、本実施の形態１に係る放電電流の算出に際しては、温度変化等によってコンデンサ２７１の特性が変化した場合でも放電電流Ｉsを正確に算出することができる。
【００６３】
次に、本実施の形態１に係る画像形成装置のプリント動作時における一連の帯電高圧制御処理手順について説明する。
【００６４】
図４は、本実施の形態に係る画像形成装置のプリント動作時のシーケンスを表した図である。
【００６５】
このレーザビームプリンタ１００のメイン電源がオンされると、定着部を駆動して定着ローラ１１７のヒータ１１６を所定温度まで立ち上げる等の一連の処理を行う前多回転工程を実行し、その後にスタンバイ状態となる。次にプリント開始の命令がパーソナルコンピュータ等の外部装置１２８から入力されると、所定の印刷準備段階である前回転工程を実行し、その後、一連の電子写真プロセスによって記録紙に印刷するプリント工程に入る。ここで、複数枚のプリント動作を行うモードの場合には、次の記録紙に対してのプリント動作を行うまでの紙間工程で所定の処理を実行した後、２枚目以降のプリント工程に移る。こうして最後の記録紙のプリント工程が終了すると、後回転工程の後、再びスタンバイ状態に戻る。
【００６６】
本実施の形態に係る画像形成装置においては、前回転工程期間、プリント工程及び紙間工程において、帯電交流電圧レベルを決定する処理を連続的に実行し、その結果に基づいてリアルタイムで帯電交流電圧レベルを制御する。
【００６７】
図７は、本実施の形態１に係る画像形成装置におけるプリント動作時の帯電高圧の一連の制御処理を説明するフローチャートで、この処理を実行するプログラムはＲＯＭ５ｂに記憶されており、ＭＰＵ５の制御の下に実行される。
【００６８】
プリント動作が開始されると、まずステップＳ１で、放電電流の制御値（Ｉs(cnt)）を設定する。この制御値（Ｉs(cnt)）は予め本体のＲＯＭ５ｂに格納された値を用いて設定する。次にステップＳ２に進み、帯電電流の定電流制御レベルの初期値設定をするためのPRICNTを設定してＤ／Ａポート５ｆの出力電圧を設定する。この設定値は、画像形成装置されたＲＯＭ５ｂに記憶されている。次にステップＳ３に進み、前回転中の所定タイミングで、帯電ＤＣバイアスを駆動し、更にステップＳ４で、帯電交流バイアス駆動信号（PRION）をロウレベルに切り替える。これによりトランジスタ２６０がオフされてオペアンプ２６５から帯電交流バイアスが出力される。続いて、ステップＳ５〜ステップＳ７で、放電電流を測定する。
【００６９】
ここではまずステップＳ５で、電圧検出回路Ａの検出値（PRIVS）を読み込み、次にステップＳ６で、電圧検出回路Ｂによる検出値（PRIDVS）を読み込む。そしてステップＳ７で、ステップＳ５，Ｓ６で読み込んだPRIVS，PRDVSの値に基づいて、前述の式（６）により放電電流値（Ｉs）を算出する。
【００７０】
次にステップＳ８に進み、ステップＳ７で算出した放電電流値（Ｉs）とステップＳ１で設定した設定値（Ｉs(cnt)）とを比較し、放電電流値（Ｉs）が設定値（Ｉs(cnt)）よりも大きい場合はステップＳ９に進み、帯電電流の定電流制御レベルを設定するPRICNTを所定量（ここでは「１」）小さくして、Ｄ／Ａポート５ｆから対応する電圧を出力する。これにより、帯電交流電圧のレベルが小さくなるように制御される。
【００７１】
一方、ステップＳ８で、放電電流値（Ｉs）が制御値（Ｉs(cnt)）より小さい場合はステップＳ１０に進み、帯電電流の定電流制御レベルを設定するPRICNTを所定量（ここでは「１」）大きくして、Ｄ／Ａポート５ｆから対応する電圧を出力する。これにより帯電交流出力のレベルが大きくなるように制御される。続いてステップＳ１１で、プリント終了か否かを判断し、プリントが継続される場合はステップＳ５に戻り、同様の処理が繰り返される。このような繰り返し処理を行なうことで、放電電流値（Ｉs）が所望のレベル（Ｉs(cnt)）となるように帯電交流電圧の出力が制御される。
【００７２】
一方、ステップＳ１１で、プリント終了の場合はステップＳ１２に進み、帯電交流バイアス駆動信号（PRION）をハイレベルに切り替えてトランジスタ２６０をオンさせて帯電交流バイアスを停止し、次にステップＳ１３で、帯電ＤＣバイアスを停止して一連の処理を完了する。上記一連の処理は、前回転工程期間、プリント工程及び紙間工程において連続的に実行されるため、放電電流値が常に所望の値となるようにリアルタイムで帯電交流高圧レベルが制御される。
【００７３】
以上説明したように本実施の形態に係る帯電電圧制御によれば、帯電電圧出力部に１つのコンデンサを設け、そのコンデンサに流れる電流を測定することで帯電交流電圧ピーク値を検出し、そのコンデンサと直列に接続された抵抗に発生する電圧を測定することで帯電交流電圧微分ピーク値を検出する。そして、検出した帯電交流電圧ピーク値と帯電交流電圧微分ピーク値とから放電電流を算出し、その放電電流が所望の値となるように帯電交流レベル制御する。
【００７４】
このような構成とすることで、放電発生領域内での放電電流の検出が可能となり、前回転工程期間、プリント工程及び紙間工程において放電電流値を常に最適に制御することができる。これにより、環境変動や製造時による帯電部材の特性ばらつき等に拘わらず、感光ドラムの劣化、画像不良等の問題を起こすことなく均一な帯電を達成することが可能となる。
【００７５】
更には、環境変化によってコンデンサの容量が変動した場合でも、帯電交流電圧のピーク値と帯電交流電圧の微分ピーク値の相対関係は変動しないことから、環境変動が発生した場合でも正確な放電電流の制御が実現でき、安定した帯電制御を行うことが可能となる。
【実施例２】
【００７６】
次に本発明の実施の形態２について説明する。本実施の形態２に係る画像形成装置の基本構成は前述の実施の形態１と同じであり、帯電出力回路内の電圧検出回路Ａ及び電圧検出回路Ｂの構成のみが異なる。
【００７７】
図８は、本発明の実施の形態２に係る帯電制御回路の構成を示す図で、前述の実施の形態１に係る図２の構成と共通する部分は同じ記号で示し、その説明を省略する。
（Ａ）電圧検出回路Ａ
電圧検出回路Ａは、実施の形態１と同様に、帯電交流電圧のピーク値を検出する。このピーク値の検出は、帯電電圧出力端子２９９と同電位のラインに接続されたコンデンサ２７１に流れる電流を測定することで行なう。このコンデンサ２７１には、帯電交流電圧のレベルに応じた交流電流が流れ、ダイオード８０１と８０２で分流される。矢印Ｄの方向の半波電流はダイオード８０２を流れ、矢印Ｃ方向の半波電流はダイオード８０１を介して流れる。矢印Ｃの方向の半波電流は、オペアンプ２８１、抵抗２８２，２８３、コンデンサ２８８で構成された積分回路に入力され、直流電圧に変換される。この電圧変換された信号は、ピーク電圧検出信号（PRIVS）としてＭＰＵ５のＡ／Ｄポート５ｅに入力される。
【００７８】
このピーク電圧検出信号のレベルは下記式で表せる。
【００７９】
PRIVS＝Ｖt2−Ｃ271×ｆ×Ｒ283×２×Ｖp        ...式（７）
ここでＣ271はコンデンサ２７１の静電容量値、ｆは帯電交流出力の周波数、Ｒ283は抵抗２８３の抵抗値、Ｖpは帯電交流出力のピーク電圧値である。また、Ｖt2はオペアンプ２８１の正入力端子の電圧である。この電圧Ｖt2は、５Ｖ電源を抵抗８０４と８０５で分圧した値に設定される。
（Ｂ）電圧検出回路Ｂ
電圧検出回路Ｂは、前述の実施の形態１と同様に帯電交流電圧波形の微分波形のピーク電圧値を検出する。
【００８０】
帯電出力電圧は、コンデンサ２７１と抵抗８０３によって分圧される。この抵抗８０３の一端はオペアンプ２８１の負極入力端子に接続されている。オペアンプ２８１の正極入力端子は、前述の電圧Ｖt2に保持されていることから、オペアンプ２８６の正極入力端子には、直流電圧（Ｖt2）と、分圧された半波の交流波形が加算された電圧が印加される。またコンデンサ２７１のインピーダンスは、抵抗８０３のインピーダンスよりも十分に大きく設定されているので、オペアンプ２８６の正極入力部には、帯電交流電圧の微分値に相当する交流波形の半波波形と直流電圧レベル（Ｖt2）が加算された電圧が発生する。この微分された波形は更に、オペアンプ２８６，２８０、ダイオード２７２，２７９、コンデンサ２８４、抵抗２８５，２９８，２９９で構成されたピーク電圧検出回路によって、微分された交流波形のピーク値に応じた直流電圧に変換され、微分電圧検出信号（PRIDVS）として、ＭＰＵ５のＡ／Ｄポート５ｅに入力される。この微分電圧検出信号（PRIDVS）のレベルは式（８）で表せる。
【００８１】
PRIDVS＝Ｃ271×ｆ×Ｒ803×π×２×Ｖd×Ｖt2      ...式（８）
ここでＣ271はコンデンサ２７１の静電容量値、ｆは帯電交流出力の周波数、Ｒ283は抵抗２８３の抵抗値、πは円周率、Ｖdは帯電交流電圧の微分値のピーク電圧である。
【００８２】
図９（Ａ）は、帯電ローラ２に印加する帯電交流電圧ピーク値及び帯電交流電圧微分ピーク値と帯電交流電流値（Ｉc）との関係を説明する図である。
【００８３】
また図９（Ｂ）及び（Ｃ）は、図９（Ａ）に対応するPRIVS信号及びPRIVDS信号の検出特性を示している。帯電交流電流（Ｉc）がＩc1の場合、帯電交流電圧のピーク値はＶa1，PRIVS信号はPRIVS(1)となる。ＭＰＵ５で検出したPRIDS信号及びPRIDVS信号のレベルから、式（９）を用いて放電電流（Ｉ）を算出する。
【００８４】
この式（９）は式（５、式（７）及び式（８）から算出している。
【００８５】
Ｉ＝Ｉ×｛１−π×（Ｖt2−PRIVS）／（PRIDVS−Ｖt2）×Ｒ803／Ｒ283｝  ...式(９)
本実施の形態２に係る画像形成装置のプリント動作時における帯電高圧の一連の制御方法は、前述の実施の形態１と同じであり、放電電流の算出のみ前記方法で行なう。
【００８６】
このような制御を行なうことで、実施の形態１と同様の効果を得ることができる。
【００８７】
以上説明したように本実施の形態２係る帯電高圧制御によれば、帯電電圧出力部に１つのコンデンサを設け、そのコンデンサに流れる電流を測定することで帯電交流電圧のピーク値を検出し、そのコンデンサと直列に接続された抵抗に発生する電圧を測定することで帯電交流電圧微分ピーク値を検出する。そして、その検出した帯電交流電圧ピーク値と帯電交流電圧微分ピーク値から放電電流を算出し、放電電流が所望の値となるように帯電交流レベル制御する。
【００８８】
このような構成とすることで、放電発生領域内での放電電流の検出が可能となり、前回転工程期間、プリント工程及び紙間工程において放電電流値を常に最適に制御することができ、環境変動や製造時による帯電部材の特性ばらつき等にかかわらず、感光ドラムの劣化、画像不良等の問題を起こすことなく均一な帯電を達成することが可能となる。
【００８９】
更には、環境変化によってコンデンサの容量が変動した場合でも帯電交流電圧ピーク値と帯電交流電圧微分ピーク値の相対関係は変動しないことから、環境変動が発生した場合でも正確な放電電流の制御が実現でき、均一な帯電を達成することが可能となる。
【００９０】
［他の実施の形態］
本発明は、上述した実施の形態の機能を実現するソフトウェアのプログラムをコンピュータ又はＣＰＵに供給し、そのコンピュータ又はＣＰＵが該供給されたプログラムを読出して実行することによって、その目的を達成することができる。
【００９１】
この場合、上記プログラムは、該プログラムを記録した記憶媒体から直接に供給されるか、又はインターネット、商用ネットワーク、若しくはローカルエリアネットワーク等に接続される不図示の他のコンピュータやデータベース等からダウンロードすることにより供給される。
【００９２】
上記プログラムの形態は、オブジェクトコード、インタプリタにより実行されるプログラムコード、ＯＳ（オペレーティングシステム）に供給されるスクリプトデータ等の形態から成ってもよい。
【００９３】
また本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても達成することができる。
【００９４】
この場合、格納媒体から読出されたプログラムコード自体が上述した各実施の形態の機能を実現すると共に、そのプログラムコードを記憶した記憶媒体は本発明を構成する。
【００９５】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００９６】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【図面の簡単な説明】
【００９７】
【図１】本発明の実施の形態に係る画像形成装置（レーザビームプリンタ）の構成を示す図である。
【図２】本発明の実施の形態１に係る帯電電圧制御回路の構成を示すブロック図である。
【図３】本実施の形態に係る帯電交流波形と電圧検出回路Ａによって検出されるピーク電圧値との関係を示す図である。
【図４】本実施の形態に係る画像形成装置のプリント動作時のシーケンスを表した図である。
【図５】帯電ローラに印加する帯電交流電圧のピーク値及び帯電交流電圧の微分ピーク値と帯電交流電流値（Ｉc）との関係を示す図（Ａ）、及び図５（Ａ）に対応するPRIVS信号及びPRIVDS信号の検出特性を示す図（Ｂ，Ｃ）である。
【図６】帯電交流電圧を放電開始電（Ｖth）より高いＶa1としたときの帯電交流電圧波形を示す図である。
【図７】本実施の形態１に係るレーザビームプリンタにおける高帯電電圧制御の手順を示すフローチャートである。
【図８】本発明の実施の形態２に係る帯電電圧制御回路の構成を示すブロック図である。
【図９】帯電ローラに印加する帯電交流電圧ピーク値及び帯電交流電圧微分ピーク値と帯電交流電流値（Ｉc）と特性を示す図（Ａ）、及び図９（Ａ）に対応するPRIVS信号及びPRIVDS信号の検出特性を示す図（Ｂ，Ｃ）である。
【図１０】従来の放電制御を説明する図である。
【図１１】従来の放電電流制御方式の画像形成装置におけるサンプリングを実行するタイミングを示す図である。
【図１】
2005156599.tif 000003
【図２】
2005156599.tif 000004
【図３】
2005156599.tif 000005
【図４】
2005156599.tif 000006
【図５】
2005156599.tif 000007
【図６】
2005156599.tif 000008
【図７】
2005156599.tif 000009
【図８】
2005156599.tif 000010
【図９】
2005156599.tif 000011
【図１０】
2005156599.tif 000012
【図１１】
2005156599.tif 000013